(57)【要約】      （修正有）【課題】クーポンをユーザに対してより手軽に配布することができ、また、配布するに当たって、クーポンの不正利用を防止する。【解決手段】クーポンＩＤデータを埋め込んだ広告映像データを生成し、表示装置３０で広告映像データを再生し、広告映像データより広告画像データを携帯電話装置４０で撮像し、非セキュアメモリに格納し、格納された広告画像データに対して端末ＩＤデータを埋め込み、クーポンＩＤデータと端末ＩＤデータが埋め込まれた広告画像データを携帯電話装置４０に表示し、償還時に、償還装置７０で携帯電話装置４０に表示された広告画像データを検出し、検出された広告画像データよりクーポンＩＤデータと端末ＩＤデータとを抽出し、データ管理装置６０に送信し、データ管理装置６０のデータベースにアクセスして、償還装置７０から送信されたクーポンＩＤデータの照合を行い、照合がとれたときクーポンデータを償還装置７０に送信する。【選択図】図１
2008225904.tif 000002
【特許請求の範囲】
【請求項１】
クーポンそれぞれに付与されたクーポンＩＤデータをウォータマークで埋め込んだ広告データを生成する広告データ生成装置と、
上記クーポンＩＤデータが埋め込まれた広告データを提供する広告媒体と、
上記広告媒体で提供された広告データより広告画像データを取得する取得手段と、端末ＩＤデータを記憶すると共に上記取得手段で取得した広告画像データを保存する記憶手段と、上記広告画像データに対して更に上記端末ＩＤデータをウォータマークで埋め込む画像処理手段と、上記クーポンＩＤデータと上記端末ＩＤデータとがウォータマークで埋め込まれた広告画像データを表示する表示手段とを有する端末装置と、
上記端末装置の表示手段に表示された広告画像データを検出する検出手段と、この上記検出手段で検出された広告画像データより上記クーポンＩＤデータと上記端末ＩＤデータとを抽出する抽出手段と、この抽出手段で抽出した上記クーポンＩＤデータと上記端末ＩＤデータとを送信すると共に、上記クーポンＩＤデータに関連付けられたクーポンを償還した際のログを送信する償還側通信手段とを有し、上記クーポンＩＤデータに関連付けられたクーポンを償還する償還装置と、
上記クーポンＩＤデータに関連付けて上記クーポンデータを管理するクーポンデータベースと、上記償還装置から送信されたクーポンＩＤデータの照合を上記クーポンデータベースにアクセスして行う照合手段と、上記照合手段で照合がとれたとき、このクーポンＩＤデータに関連付けられたクーポンデータを上記償還装置に送信する管理側通信手段とを有するクーポン管理装置とを備えるデータ処理システム。
【請求項２】
上記端末装置は、上記表示手段に表示する際、上記ウォータマークとして埋め込まれた少なくともクーポンＩＤデータを強調処理する強調処理手段を有し、
上記強調処理手段は、上記強調処理されたクーポンＩＤデータと共に、上記端末ＩＤデータを上記クーポンＩＤデータの強調処理と同程度のレベルで上記表示手段に表示できるようにする請求項１記載のデータ処理システム。
【請求項３】
上記強調処理手段は、上記ウォータマークが可視であるとき、上記クーポンＩＤデータのエッジ強調処理を行うと共に、このエッジ強調処理がされたクーポンＩＤデータと略同程度のレベルにエッジが強調された上記端末ＩＤデータを生成し、上記表示手段に、上記クーポンＩＤデータ及び上記端末ＩＤデータとがエッジ強調がされた状態で上記広告画像データが表示されるようにする請求項２記載のデータ処理システム。
【請求項４】
上記強調処理手段は、上記ウォータマークが不可視であるとき、上記クーポンＩＤデータ及び上記端末ＩＤデータが埋め込まれる領域の数を、上記広告媒体に表示されている広告データの上記クーポンＩＤデータが埋め込まれる領域の数より多くして、上記表示手段に上記広告画像データが表示されるようにする請求項２記載のデータ処理システム。
【請求項５】
クーポンそれぞれに付与されたクーポンＩＤデータをウォータマークで埋め込んだ広告データを生成するステップと、
広告媒体で上記クーポンＩＤデータが埋め込まれた広告データを提供するステップと、
上記広告媒体で提供された広告データより広告画像データを端末装置の撮像手段で取得し、取得した広告画像データを端末ＩＤデータが格納された記憶手段に格納するステップと、
上記端末装置で上記記憶手段に格納された広告画像データに対して更に上記端末ＩＤデータをウォータマークで埋め込むステップと、
上記クーポンＩＤデータが埋め込まれている広告画像データに対して更に上記端末ＩＤデータが埋め込まれた広告画像データを上記端末装置の表示手段に表示するステップと、
償還時に、償還装置で上記端末装置の表示手段に表示された広告画像データを検出し、この検出された広告画像データより上記クーポンＩＤデータと上記端末ＩＤデータとを抽出するステップと、
上記償還装置で抽出した上記クーポンＩＤデータと上記端末ＩＤデータとをデータ管理装置に送信し、このデータ管理装置の上記クーポンＩＤデータに関連付けて上記クーポンデータを管理しているデータベースにアクセスして、上記償還装置から送信されたクーポンＩＤデータの照合を行うステップと、
照合がとれたとき、このクーポンＩＤデータに関連付けられたクーポンデータを上記償還装置に送信するステップとを有するデータ処理方法。
【請求項６】
更に、上記端末装置の表示手段に、上記ウォータマークとして埋め込まれたクーポンＩＤデータを、上記表示手段に表示する際、上記クーポンＩＤデータを強調処理すると共に、上記端末ＩＤデータを上記クーポンＩＤデータの強調処理と同程度のレベルで上記表示手段に表示できるようにするステップを有する請求項５記載のデータ処理方法。
【発明の詳細な説明】
【技術分野】
【０００１】
本発明は、クーポンを広告媒体を用いて効率的に配布すると共に、クーポンの利用状況で広告効果を測定するデータ処理システム及びデータ処理方法に関する。
【背景技術】
【０００２】
インターネットのクリック保証型広告等のシステムでは、広告効果測定が可能であるのに対して、テレビジョン放送やディジタルサイネージ等のブロードキャスト型の配信システムでは、広告効果測定のシステムが普及していない。現在は、広告効果測定を行うために、広告媒体、例えばポスターや広告映像中に２次元バーコードを表示する、電話番号・ＵＲＬ（Uniform Resource Locator）と言った付加情報を表示するといった手法や、広告コンテンツ配信と同時に電子クーポン等の配布を行う手法がとられている。しかしながら、広告コンテンツに付加情報を組み込むと、映像広告が再生される時間が短くなったり、広告コンテンツ自体の質の低下を招くことになる。また、クーポンを配布するに当たっては、クーポンの不正コピーや改ざんといった不正利用を防止することが必要である。
【０００３】
更に、クーポンをユーザが取得するに当たって、ユーザに携帯電話装置等のキャリア通信費が発生すると、その分、ユーザに対するインセンティブが低下してしまう。
【０００４】
なお、本件出願人は、本件に関連する先行技術として下記特許文献１を提案している。
【０００５】
【特許文献１】特開２００６−３３１３９８号公報
【発明の開示】
【発明が解決しようとする課題】
【０００６】
本発明は、以上のような問題点に鑑みてなされたものであり、その目的は、クーポンをユーザに対してより手軽に配布することができ、また、配布するに当たって、クーポンの不正利用を防止することができるデータ処理システム及びデータ処理方法を提供することにある。
【課題を解決するための手段】
【０００７】
本発明に係るデータ処理システムは、クーポンそれぞれに付与されたクーポンＩＤデータをウォータマークで埋め込んだ広告データを生成する広告データ生成装置と、上記クーポンＩＤデータが埋め込まれた広告データを提供する広告媒体と、上記広告媒体で提供された広告データより広告画像データを取得する取得手段と、端末ＩＤデータを記憶すると共に上記取得手段で取得した広告画像データを保存する記憶手段と、上記広告画像データに対して更に上記端末ＩＤデータをウォータマークで埋め込む画像処理手段と、上記クーポンＩＤデータと上記端末ＩＤデータとがウォータマークで埋め込まれた広告画像データを表示する表示手段とを有する端末装置と、上記端末装置の表示手段に表示された広告画像データを検出する検出手段と、この上記検出手段で検出された広告画像データより上記クーポンＩＤデータと上記端末ＩＤデータとを抽出する抽出手段と、この抽出手段で抽出した上記クーポンＩＤデータと上記端末ＩＤデータとを送信すると共に、上記クーポンＩＤデータに関連付けられたクーポンを償還した際のログを送信する償還側通信手段とを有し、上記クーポンＩＤデータに関連付けられたクーポンを償還する償還装置と、上記クーポンＩＤデータに関連付けて上記クーポンデータを管理するクーポンデータベースと、上記償還装置から送信されたクーポンＩＤデータの照合を上記クーポンデータベースにアクセスして行う照合手段と、上記照合手段で照合がとれたとき、このクーポンＩＤデータに関連付けられたクーポンデータを上記償還装置に送信する管理側通信手段とを有するクーポン管理装置とを備える。
【０００８】
また、本発明に係るデータ処理方法は、クーポンそれぞれに付与されたクーポンＩＤデータをウォータマークで埋め込んだ広告データを生成するステップと、広告媒体で上記クーポンＩＤデータが埋め込まれた広告データを提供するステップと、上記広告媒体で提供された広告データより広告画像データを端末装置の撮像手段で取得し、取得した広告画像データを端末ＩＤデータが格納された記憶手段に格納するステップと、上記端末装置で上記記憶手段に格納された広告画像データに対して更に上記端末ＩＤデータをウォータマークで埋め込むステップと、上記クーポンＩＤデータが埋め込まれている広告画像データに対して更に上記端末ＩＤデータが埋め込まれた広告画像データを上記端末装置の表示手段に表示するステップと、償還時に、償還装置で上記端末装置の表示手段に表示された広告画像データを検出し、この検出された広告画像データより上記クーポンＩＤデータと上記端末ＩＤデータとを抽出するステップと、上記償還装置で抽出した上記クーポンＩＤデータと上記端末ＩＤデータとをデータ管理装置に送信し、このデータ管理装置の上記クーポンＩＤデータに関連付けて上記クーポンデータを管理しているデータベースにアクセスして、上記償還装置から送信されたクーポンＩＤデータの照合を行うステップと、照合がとれたとき、このクーポンＩＤデータに関連付けられたクーポンを上記償還装置に送信するステップとを有する。
【発明の効果】
【０００９】
本発明によれば、広告媒体で提供された広告データより広告画像データを端末装置の撮像手段で取得し、取得した広告画像データに対して更に端末ＩＤデータをウォータマークで埋め込み、クーポンＩＤデータが埋め込まれている広告画像データに対して更に端末ＩＤデータが埋め込まれた広告画像データを端末装置の表示手段に表示し、償還時、すなわちユーザがクーポンを使用するときに、償還装置で端末装置の表示手段に表示された広告画像データを検出し、この検出された広告画像データよりクーポンＩＤデータと端末ＩＤデータとを抽出し、償還装置で抽出したクーポンＩＤデータと端末ＩＤデータとをデータ管理装置に送信し、このデータ管理装置のクーポンＩＤデータに関連付けてクーポンデータを管理しているデータベースにアクセスして、償還装置から送信されたクーポンＩＤデータの照合を行うステップと、照合がとれたとき、このクーポンＩＤデータに関連付けられたクーポンデータを償還装置に送信するようにしたので、ユーザがクーポンＩＤデータを取得するに当たって、端末装置におけるキャリア通信費の発生させることが無くなるので、クーポンをユーザに対してより手軽に配布することができ、また、クーポンＩＤデータや端末ＩＤデータがウォータマークとなっているので、クーポンの不正利用を防止することができる。
【発明を実施するための最良の形態】
【００１０】
図１に示すように、本発明が適用されたデータ処理システム１は、広告映像配信のシステムを用いて広告主のクーポンを配布するシステムであって、本システム１で発行するクーポンを識別するクーポンＩＤデータを管理するクーポンＩＤ管理装置１０と、発行されたクーポンＩＤデータをウォータマークで埋め込んで広告映像データを配信する広告映像データ生成装置２０と、ウォータマークが埋め込まれた広告映像データを再生し表示する表示装置３０と、表示装置３０での広告映像を視聴しているユーザが所有する携帯電話装置４０と、ユーザが取得したクーポンを償還する償還装置７０と、発行したクーポンデータを管理するクーポン管理装置６０とを備えている。
【００１１】
クーポンＩＤデータを発行するクーポンＩＤ管理装置１０は、通常のサーバ装置と言ったコンピュータで構成されており、例えば広告代理店によって管理される。このクーポンＩＤ管理装置１０は、図２に示すように、発行するクーポンＩＤデータとクーポンデータとを関連付けるデータベースが構築された大容量ハードディスク等でなる記憶部１１と、クーポンＩＤデータを発行するクーポンＩＤ発行部１２と、クーポンＩＤ管理装置１０や広告映像データ生成装置２０からクーポンＩＤデータがウォータマークで埋め込まれた広告映像データの配信情報が入力される配信情報入力部１３と、クーポン管理装置６０や償還装置７０からクーポンデータが償還された際の償還ログが入力される償還ログ入力部１４とを備える。
【００１２】
記憶部１１に構築されたクーポンＩＤデータベースは、発行するクーポンＩＤデータに、商品の割引等の内容によって定義付けられたクーポンデータ、広告映像データが配信された配信日時、配信時間等を含む配信情報、ユーザのクーポン使用日時、使用場所、ユーザの属性情報等を含む償還ログを関連付けて保存するようにしている。
【００１３】
ここで、配信情報は、クーポンＩＤデータの発行の後、配信情報入力部１３より入力される情報である。この配信情報入力部１３は、広告映像データ生成装置２０で定義されている配信計画データが配信情報としてネットワークを介して入力され、このような入力された配信情報をクーポンＩＤデータベースにクーポンＩＤデータに関連付けて格納する。
【００１４】
また、償還ログは、ユーザのクーポン使用日時、使用場所、ユーザの属性情報等を含む情報であって、クーポンがユーザによって使用された、すなわちクーポンが償還されたとき、償還ログ入力部１４より入力される情報である。この償還ログ入力部１４には、定期的又は随時、クーポン管理装置６０や償還装置７０よりネットワークを送信された償還ログが入力されることになり、この入力された償還ログがクーポンＩＤデータに関連付けられて格納されることになる。
【００１５】
以上のように、クーポンＩＤデータベースにクーポンＩＤデータに関連付けて保存されるクーポンデータ、配信情報、償還ログによれば、発行したクーポンが何時何処で取得され使用されたかを知ることができ、広告効果を見る広告測定情報として広告主に提供する情報となる。
【００１６】
クーポンＩＤ発行部１２は、広告映像データを用いて配布するクーポンを発行する際に、それぞれのクーポンデータに対してクーポンＩＤデータを付与し、上述したデータベースで、このクーポンＩＤデータに関連付けて配信情報や償還ログを管理できるようにする。クーポンの発行時、クーポンデータに関連付けてクーポンＩＤデータが発行されると、クーポンＩＤデータとクーポンデータとを関連付けてクーポン管理装置６０のクーポンデータベースにネットワークや記録媒体を介して供給し、クーポン管理装置６０でクーポンＩＤデータの照合を行うことができるようにする。
【００１７】
ここで、本発明では、クーポンＩＤデータのみを拡布させることで、不正利用を防止し、また、取り扱われるデータのデータサイズを小さくし、携帯電話装置４０や償還装置７０等でのデータ処理量を少なくするようにしている。このクーポンＩＤ発行部１２で発行されたクーポンＩＤデータは、次に、ネットワークや記録媒体によって広告映像データ生成装置２０に供給される。
【００１８】
図３に示すように、広告映像データ生成装置２０は、広告代理店やＴＶ局等が管理する装置であり、広告主や広告代理店から提供された広告映像データが入力される広告映像データ入力装置２１と、クーポンＩＤ管理装置１０から供給されたクーポンＩＤデータが入力されるクーポンＩＤ入力装置２２と、広告映像データに対してクーポンＩＤデータをウォータマークによって埋め込む画像処理装置２３と、クーポンＩＤデータが埋め込まれた広告映像データを配信する配信装置２４とを備える。
【００１９】
広告映像データ入力装置２１は、例えばＶＴＲ、ＤＶＤ（Digital Versatile Disc）プレーヤ等の記録媒体再生装置であり、広告主や広告代理店から納入された磁気テープ、ＤＶＤ等の記録媒体から、広告の映像データを再生して、画像処理装置２３に供給する。
【００２０】
クーポンＩＤ入力装置２２は、ＵＳＢ（Universal Serial Bus）メモリリーダ、メモリカードリーダ等からなり、クーポンＩＤ管理装置１０から供給されたＵＳＢメモリ、メモリカード等から読み出した又はネットワークを介して供給されたクーポンＩＤデータを画像処理装置２３に供給する。
【００２１】
画像処理装置２３は、クーポンＩＤデータをウォータマークによって広告映像データ中に埋め込む。例えば、可視情報としてクーポンＩＤデータを埋め込む場合、画像処理装置２３は、クーポンＩＤデータを画像信号に変換し、すなわちクーポンＩＤデータを構成する数字及び記号のグラフィック画像を生成して、これらのグラフィック画像を、例えばフレームの下側や角等の見たときに邪魔にならない位置において、広告の映像信号にオーバレイ又はスーパインポーズする。
【００２２】
また、不可視情報としてクーポンＩＤデータを埋め込む場合、広告映像データ入力装置２１からの広告映像データを所謂ＭＰＥＧ（Moving Picture Coding Experts Group／Moving Picture Experts Group）−２やＭＰＥＧ−４の規格に準拠して符号化するに際して、画像処理装置２３は、符号化の際に得られる所謂ＤＣＴ（Discrete Cosine Transform）係数の高域成分に、クーポンＩＤ入力装置２２からのクーポンＩＤデータに誤り訂正符号を付加し、誤り訂正符号が付加されたクーポンＩＤデータをウォータマークとして埋め込む。そして、クーポンＩＤデータを埋め込むフレーム上での位置は、クーポンＩＤデータを容易に再生できるように、所定の位置の所謂一若しくは複数のマクロブロック、又はクーポンＩＤデータのバイト数が大きいときは、その近傍の複数のマクロブロックとなっている。
【００２３】
また、広告の映像コンテンツを圧縮しないでディジタル信号として配信する場合には、広告の映像コンテンツを構成する映像信号の各サンプル値、すなわち各画素のデータの最下位ビット又は下位の数ビットに、クーポンＩＤデータを空間領域で分散して埋め込む。
【００２４】
なお、ウォータマークで埋め込まれたクーポンＩＤデータを抽出するため、クーポンＩＤデータの埋め込まれた領域には、位置合わせのための枠を設けるようにする。更に、画面を携帯電話装置４０で撮像することを考慮して、クーポンＩＤデータをフレームの複数箇所に埋め込む。また、クーポンＩＤデータを埋め込むフレーム数、すなわち１本の広告における長さ（時間）は、１本の広告全体であっても良いが、例えば、１本の広告に対して複数の商品を紹介することもあるので、その商品が表示されているフレームとする。
【００２５】
画像処理装置２３において、上述のようにしてクーポンＩＤデータが埋め込まれた配信用広告映像データは、配信装置２４に供給される。配信装置２４は、例えばディジタルテレビジョン放送、アナログテレビジョン放送若しくは衛星放送における送信装置、又は、例えばインターネットにおけるモデム、インサーネットのランカード若しくは無線ランカード等を備えるインターネットに接続されたコンピュータやサーバである。また、配信装置２４は、ＶＴＲ、ＣＤレコーダ、ＤＶＤレコーダ等の記録媒体に映像信号を記録する装置である。そして、配信装置２４は、伝送媒体、すなわち放送、インターネット配信、記録媒体の配布に適した方法で、クーポンＩＤデータが埋め込まれた配信用の広告映像データを表示装置３０に供給する。
【００２６】
図１に示した表示装置３０は、公共スペースや屋外、駅や店舗に設置される大小のディスプレイであって、例えば内蔵ハードディスクに配信装置２４から配信されたクーポンＩＤデータが埋め込まれた広告映像データを受信・蓄積し、指定されたスケジュールに応じて再生表示する。
【００２７】
このデータ処理システム１においてユーザは、この表示装置３０の近所を通行しながら再生される広告映像データを視聴する者であり、このようなユーザが所有又は管理する携帯電話装置４０によって、表示装置３０で表示されている広告映像データからクーポンＩＤデータを取得することができるようになっている。
【００２８】
具体的に、この携帯電話装置４０は、図４に示すように、通常の携帯電話の機能に対してウォータマークを抽出するための機能が格納された機能を有するものであって、被写体を撮像する撮像部４１と、撮像部４１が撮像した画像データを保存するシステムメモリともなる非セキュアメモリ４２と、携帯電話装置４０固有の端末ＩＤデータを格納しているセキュアメモリ４３と、少なくとも端末ＩＤデータとをウォータマークで広告画像データに埋め込む画像処理部４４と、クーポンＩＤデータと端末ＩＤデータとがウォータマークで埋め込まれた広告画像データを表示する表示部４５と、ユーザによって操作される操作部４６と、全体の動作を制御する制御部４７とを備える。
【００２９】
撮像部４１は、複数のレンズやＣＣＤ（Charge-Coupled Devices）素子、ＣＭＯＳ（Complementary Metal-Oxide Semiconductor））等の撮像素子を備えており、所定の画像処理、Ａ／Ｄ変換処理を行って非セキュアメモリ４２に撮像した画像データを保存する。
【００３０】
また、表示装置３０で広告映像データを撮像するアプリケーションが起動されているときに、表示装置３０に表示されている広告映像データを撮像するときには、広告映像データ中のクーポンＩＤデータが埋め込まれている所定領域を撮像部４１で撮像し、非セキュアメモリ４２に、ＪＰＥＧ（Joint Photographic Expert Group）等の圧縮符号化処理を行って保存する。このように、広告映像データを取得手段となる撮像部４１で取得するに当たって、広告映像データの撮像の際には、図５に示すように、表示装置３０に表示されている広告映像データの位置合わせのための枠３６内、すなわちウォータマークでクーポンＩＤデータが埋め込まれた領域を撮像部４１で撮像する。
【００３１】
非セキュアメモリ４２は、システムメモリともなり、撮像部４１で撮像した画像データ等を保存する。また、セキュアメモリ４３は、書換等が不能なメモリであって、端末ＩＤデータ等が格納されている。非セキュアメモリ４２やセキュアメモリ４３は、物理的には同じメモリ素子であっても良い。また、本発明において、非セキュアメモリ４２に端末ＩＤデータを格納するようにしても良い。
【００３２】
画像処理部４４は、償還装置７０に対してクーポンＩＤデータと端末ＩＤデータとがウォータマークで埋め込まれた広告画像データを提示する際に、広告画像データに対して少なくともセキュアメモリ４３から読み出した端末ＩＤデータとをウォータマークで埋め込む処理を行う。
【００３３】
具体的に、画像処理部４４は、可視情報でクーポンＩＤデータに加えて端末ＩＤデータとを広告画像データに埋め込む場合、端末ＩＤデータを画像信号に変換し、すなわちクーポンＩＤデータと同じような端末ＩＤデータを構成する数字及び記号のグラフィック画像を生成して、グラフィック画像を、例えばフレームの下側や角等の見たときに邪魔にならない位置において、例えばクーポンＩＤデータ付き広告画像データに対してオーバレイ又はスーパインポーズする。
【００３４】
なお、広告画像データには、予めクーポンＩＤデータが可視情報で埋め込まれているが、画像処理部４４では、クーポンＩＤデータを、端末ＩＤデータと共に改めて広告画像データにウォータマークで付加するようにしても良い。この場合、画像処理部４４は、先ず、クーポンＩＤデータを検出削除の後、クーポンＩＤデータと端末ＩＤデータのグラフィック画像を生成して、クーポンＩＤデータが除去された広告画像データに対してオーバレイ又はスーパインポーズする。
【００３５】
また、画像処理部４４は、償還装置７０の検出部で、可視情報となっているクーポンＩＤデータ及び端末ＩＤデータとをより正確に認識できるようにするため、オーバーレイ又はスーパーインポーズされたクーポンＩＤデータ及び端末ＩＤデータに対して強調処理、すなわちグラフィック画像のクーポンＩＤデータ及び端末ＩＤデータのエッジ検出を行ってオーバーシュート又はアンダーシュートを付加する処理を行って表示部４５でクーポンＩＤデータと端末ＩＤデータとが強調処理された広告画像データが表示されるようにする。また、ここでの強調処理は、予め埋め込まれているクーポンＩＤデータに対してのみ行い、端末ＩＤデータについては、強調処理されたクーポンＩＤデータのエッジと同レベルのグラフィック画像で広告画像データにオーバレイ又はスーパインポーズするようにしても良い。
【００３６】
また、不可視情報でクーポンＩＤデータと端末ＩＤデータとを広告画像データに埋め込む場合、画像処理部４４は、非セキュアメモリ４２にクーポンＩＤデータが埋め込まれている広告画像データを圧縮符号化処理を行って保存する際に、クーポンＩＤデータが埋め込まれているマクロブロックとは別のマクロブロック又は異なる領域のＤＣＴ係数の高域成分に、セキュアメモリ４３から読み出した端末ＩＤデータに誤り訂正符号を付加し、誤り訂正符号が付加されたクーポンＩＤデータをウォータマークとして埋め込む。
【００３７】
また、広告の映像コンテンツを圧縮しない場合は、広告画像データを構成する画像データの所定領域の各サンプル値、すなわち各画素のデータの最下位ビット又は下位の数ビットに、クーポンＩＤデータを空間領域で分散して埋め込む。
【００３８】
また、画像処理部４４は、償還装置７０の検出部で、不可視情報となっているクーポンＩＤデータ及び端末ＩＤデータとをより正確に認識できるようにするため、クーポンＩＤデータ及び端末ＩＤデータに対して強調処理を行う。この場合、画像処理部４４は、クーポンＩＤデータや端末ＩＤデータが埋め込まれるマクロブロック又は領域の数をより増やす強調処理を行う。少なくとも、クーポンＩＤデータについては、表示装置３０で撮像した際の広告画像データにクーポンＩＤデータが埋め込まれているマクロブロック又は領域の数より多くなる強調処理を行い、端末ＩＤデータについては、クーポンＩＤデータの埋め込まれたマクロブロック又は領域の数と同じ程度にする強調処理を行う。
【００３９】
なお、画像処理部４４では、クーポンＩＤデータと端末ＩＤデータの他、例えば、携帯電話装置４０の所有者名、電話番号、電子メールアドレス、現在時刻等をウォータマークで埋め込むようにしても良い。
【００４０】
表示部４５は、償還装置７０に提示する際、ＬＥＤパネルや有機ＥＬパネル等で構成されており、動作状況を表示する。更に、表示部４５は、画像処理部４４で生成されたクーポンＩＤデータ及び端末ＩＤデータがウォータマークで埋め込まれた広告画像データを表示する。
【００４１】
操作部４６は、押しボタンやスライドスイッチ等で構成されており、操作されることによって操作信号を発生し制御部４７に入力する。例えば、携帯電話装置４０は、操作部４６を操作することによって、相手方と通話を行うことができる他に、店舗で商品を購入する際、アプリケーションを起動することによって、画像処理部４４で生成されたクーポンＩＤデータ及び端末ＩＤデータとがウォータマークで埋め込まれた広告画像データを表示部４５に表示し、償還装置７０の検出部で検出されるようにする。
【００４２】
なお、本発明では、携帯電話装置４０に代わってディジタル又はアナログの表示部を備えたスチルカメラ装置であっても良い。
【００４３】
償還装置７０は、図６に示すように、商品を販売する店舗に設置されるＰＯＳ（Point Of Sale terminal）端末の機能を有する装置であって、携帯電話装置４０の表示部４５に表示されたクーポンＩＤデータ及び端末ＩＤデータがウォータマークで埋め込まれた広告画像データを検出する検出部７１と、検出部７１が検出した広告画像データよりクーポンＩＤデータ及び端末ＩＤデータを抽出するウォータマーク抽出部７２と、ウォータマーク抽出部７２が抽出したクーポンＩＤデータ及び端末ＩＤデータをクーポン管理装置６０に送信する償還側通信Ｉ／Ｆ７３と、ＰＯＳ端末としての機能を実現するＰＯＳ機能部７４と、動作状況等を表示する表示部７５と、全体の動作を制御する制御部７６とを備える。
【００４４】
検出部７１は、複数のレンズやＣＣＤ素子、ＣＭＯＳの撮像素子によって、携帯電話装置４０の表示部４５に表示されたクーポンＩＤデータ及び端末ＩＤデータとがウォータマークで埋め込まれた広告画像データを撮像する。
【００４５】
ウォータマーク抽出部７２は、撮像した画像データの位置合わせを、撮像した枠３６を目印に、大きさ、傾き、斜めから撮像されたときの歪みを補正した後、検出部７１が撮像した広告画像データの中からクーポンＩＤデータ及び端末ＩＤデータを抽出する。
【００４６】
具体的に、クーポンＩＤデータ及び端末ＩＤデータが可視情報である場合、ウォータマーク抽出部７２は、文字認識処理によって、オーバレイ又はスーパインポーズされているクーポンＩＤデータを構成する数字及び記号のグラフィック画像を抽出し、抽出したグラフィック画像よりクーポンＩＤデータ及び端末ＩＤデータを抽出する。
【００４７】
また、クーポンＩＤデータ及び端末ＩＤデータが不可視情報である場合、ウォータマーク抽出部７２は、広告映像データ生成装置２０の画像処理装置２３や携帯電話装置４０の画像処理部４４でクーポンＩＤデータや端末ＩＤデータを埋め込む符号化時のマクロブロックと検出部７１で撮像を行った広告画像データのマクロブロックとの位置合わせを行ってから、符号化の際に得られる所謂ＤＣＴ係数の高域成分よりクーポンＩＤデータ及び端末ＩＤデータを抽出し、更に、誤り訂正処理を行って、クーポンＩＤデータを抽出する。
【００４８】
また、広告映像データを圧縮していない場合には、上述した枠３６を用いて位置合わせの補正処理を行った後、画像信号の各サンプル値、すなわち各画素のデータの最下位ビット又は下位の数ビットを抽出し、誤り訂正処理を行って、クーポンＩＤデータを抽出する。
【００４９】
償還側通信Ｉ／Ｆ７３は、携帯電話装置４０から取得したクーポンＩＤデータの照合を行うため、端末ＩＤデータと共にクーポンＩＤデータをクーポン管理装置６０にネットワークを介して送信する。また、償還側通信Ｉ／Ｆ７３は、クーポン管理装置６０でクーポンＩＤデータの照合がとれたとき、送信したクーポンＩＤデータに関連付けられたクーポンデータを受信する。
【００５０】
ＰＯＳ機能部７４は、例えば商品に付されたバーコード等を光学的に読み取るリーダ等を備えており、商品のバーコード等を読み取る。表示部７５は、動作状況を表示するものであり、例えば、償還側通信Ｉ／Ｆ７３でクーポンデータを受信したとき、その内容を表示し、ユーザや定員にクーポンの内容の確認を行うことができるようにすると共に、クーポンの内容を示すバーコード等のシンボルを表示し、ＰＯＳ機能部７４のリーダ等でシンボルを読み取ることができるようにする。
【００５１】
制御部７６は、全体の動作を制御する。例えば、商品の値段に対してクーポンの内容を反映させる、すなわち割引処理等を行う決済処理を行う。
【００５２】
償還装置７０からの要求に応じてクーポンＩＤデータの照合を行うクーポン管理装置６０は、図７に示すように、クーポンＩＤデータとクーポンデータとを関連付けて管理するクーポンデータベースが構築された大容量ハードディスク等で構成された記憶部６１と、償還装置７０の償還側通信Ｉ／Ｆ７３と通信を行う管理側通信Ｉ／Ｆ６２と、償還装置７０から送信されたクーポンＩＤデータとクーポンＩＤ管理装置１０から供給されたクーポンＩＤデータとを照合する照合部６３とを備えている。
【００５３】
記憶部６１に構築されたクーポンデータベースは、クーポンＩＤ管理装置１０から供給されたクーポンＩＤデータに関連付けて、商品の割引等の内容によって定義付けられたクーポンデータ、携帯電話装置４０の端末ＩＤデータ、携帯電話装置４０の所有者名、電話番号等の属性情報、携帯電話装置４０の広告画像データを読み取った日時、すなわちクーポンデータの使用日時、使用場所等が格納されるようになっている。このようなクーポンデータベースは、クーポンＩＤ管理装置１０からクーポンＩＤデータとクーポンデータとが供給されて予め格納されており、償還装置７０よりクーポンＩＤデータと端末ＩＤデータが送信されたとき、クーポンＩＤデータに関連付けて端末ＩＤデータや属性情報を格納する。
【００５４】
また、クーポンデータベースは、更に、クーポンが償還される際に、償還装置７０から送信されたクーポンＩＤデータ及び端末ＩＤデータを受信すると、受信日時や償還装置７０の設置場所のＩＤデータに基づいて、これらの情報を、クーポンの使用日時及び使用場所として登録される。
【００５５】
照合部６３は、ユーザがクーポンデータを店舗で使用し償還する場合において、償還装置７０から送信されたクーポンＩＤデータ及び端末ＩＤデータを受信したとき、受信したクーポンＩＤデータが予め登録してあるクーポンＩＤデータとクーポンデータベースで照合する。そして、照合部６３は、予め登録してあるクーポンＩＤデータと携帯電話装置４０から送信されたクーポンＩＤデータとが一致したとき、クーポンデータベースに端末ＩＤデータをクーポンＩＤデータに関連付けて登録すると共に、クーポンＩＤデータに関連付けられているクーポンデータを管理側通信Ｉ／Ｆ６２より償還装置７０に送信する。
【００５６】
次に、図８を参照して、本発明が適用されたデータ処理システム１の処理手順について説明する。
【００５７】
先ず、広告主より宣伝広告の依頼を受けた広告代理店は、広告映像データを制作すると共に、この広告映像データで配布する割引といったクーポンの内容を決定し、クーポンデータを作成する。また、作成するクーポンデータには、個々に、クーポンＩＤデータを付与する。そして、クーポンＩＤ管理装置１０では、ステップＳ１において、クーポンＩＤデータとクーポンデータとを関連付けて、これを、記憶部１１に構築されたクーポンＩＤデータベースに登録する。
【００５８】
次に、広告代理店では、広告代理店で広告主の依頼に基づいて制作した広告映像データを制作すると、次に、制作した広告映像データの配信情報、すなわち何時何処で広告映像データを配信するかのスケジュールを作成し、作成した配信情報を、広告映像データに関連付けて広告映像データ生成装置２０に入力する。そして、ステップＳ２において、クーポンＩＤ管理装置１０の配信情報入力部１３には、広告映像データ生成装置２０よりクーポンＩＤデータに関連付けられた配信情報が入力され、クーポンＩＤデータベースには、クーポンＩＤデータに関連付けて配信情報が登録される。
【００５９】
実際の広告映像データの配信が開始される前には、ステップＳ３において、クーポン管理装置６０には、クーポンＩＤ管理装置１０のクーポンＩＤデータベースから、クーポンＩＤデータとクーポンデータとが互いに関連付けられてネットワークや記録媒体によって供給され、記憶部６１のクーポンデータベースに登録される。
【００６０】
以上のように、ステップＳ１〜ステップＳ３までの処理がクーポンの配布開始前、すなわち広告映像データの配信が開始される前までの処理である。そして、広告映像データの配信が開始されると、ユーザは、ステップＳ４において、広告映像データが再生されている表示装置３０の前に立ち止まり、広告映像データの再生されている画面より携帯電話装置４０を用いてクーポンＩＤデータがウォータマークで埋め込まれている画像を撮像部４１で撮像し保存することになる。
【００６１】
携帯電話装置４０では、このクーポンＩＤデータ付き広告画像データを保存するとき、又は、ステップＳ５の保存した広告画像データを表示部４５に表示するとき、上述したように、表示装置３０より取得したクーポンＩＤデータがウォータマークで埋め込まれている広告画像データに対して、更にセキュアメモリ４３に格納してある端末ＩＤデータをウォータマークで埋め込んだ広告画像データを表示部４５に表示できるようにする。
【００６２】
ここで、ユーザは、広告画像データで宣伝されている商品を購入するため店舗を訪れた際に、この店舗に設置されている償還装置７０の検出部７１に、携帯電話装置４０をかざす。この際、ステップＳ５において、携帯電話装置４０の表示部４５には、クーポンＩＤデータと端末ＩＤデータとがウォータマークで埋め込まれた広告画像データが表示されることになる。
【００６３】
償還装置７０では、ステップＳ６において、かざされた携帯電話装置４０の表示部４５に表示されているクーポンＩＤデータと端末ＩＤデータとがウォータマークで埋め込まれた広告画像データを検出すると、ステップＳ７において、ウォータマーク抽出部７２で、検出した広告画像データよりウォータマークで埋め込まれているクーポンＩＤデータと端末ＩＤデータとを抽出する。そして、償還装置７０は、ステップＳ８において、償還側通信Ｉ／Ｆ７３より、抽出したクーポンＩＤデータと端末ＩＤデータとをクーポン管理装置６０に送信する。
【００６４】
クーポン管理装置６０では、管理側通信Ｉ／Ｆ６２で、償還装置７０から送信されたクーポンＩＤデータと端末ＩＤデータとを受信すると、ステップＳ９において、照合部６３で、受信したクーポンＩＤデータが予めクーポンデータベースに登録してあるクーポンＩＤデータと照合する。そして、照合部６３は、予め登録してあるクーポンＩＤデータと携帯電話装置４０から送信されたクーポンＩＤデータとが一致したとき、端末ＩＤデータを、クーポンＩＤデータに関連付けてクーポンデータベースに登録すると共に、ステップＳ１１において、このクーポンＩＤデータに関連付けられているクーポンデータを管理側通信Ｉ／Ｆ６２より償還装置７０に送信する。
【００６５】
なお、ステップＳ９において、クーポンＩＤデータの照合をとることができなかったときには、携帯電話装置４０より送信されたクーポンＩＤデータは無効であるとして、例えば、エラーメッセージを償還装置７０に送信し、償還装置７０で償還処理、すなわちクーポンを用いた決済が行われないようにする。
【００６６】
償還装置７０では、クーポン管理装置６０から送信されたクーポンデータを償還側通信Ｉ／Ｆ７３で受信すると、ステップＳ１３において、クーポンデータの償還処理を行う。すなわち、償還装置７０では、割引等のクーポンデータの内容を反映させて決済処理を行う。そして、償還装置７０は、ステップＳ１４において、端末ＩＤデータ、商品の購入時店舗が取得した携帯電話装置４０の所有者名、電話番号等のユーザの属性情報、クーポンの使用日時、償還装置７０の設置場所で特定される使用場所等を、償還側通信Ｉ／Ｆ７３よりクーポン管理装置６０に送信する。
【００６７】
なお、上述のように、属性情報は、携帯電話装置４０の表示部４５に表示されるクーポンＩＤデータと端末ＩＤデータとがウォータマークで埋め込まれた広告画像データに、更にウォータマークで埋め込むようにし、ステップＳ６，７，８の処理で償還装置７０に供給するようにしても良い。
【００６８】
クーポン管理装置６０は、管理側通信Ｉ／Ｆ６２で、端末ＩＤデータ、商品の購入時店舗が取得したユーザの属性情報、クーポンの使用日時、使用場所等を受信すると、ステップＳ１５において、これらのデータを、クーポンデータベースに登録する。また、クーポン管理装置６０は、定期的に又は随時、クーポンデータベースの登録内容をクーポンＩＤ管理装置１０に送信し、ステップＳ１６において、クーポンＩＤ管理装置１０は、クーポンデータベースの登録内容が償還ログ入力部１４より入力されると、記憶部１１に構築されたクーポンＩＤデータベースに登録する。
【００６９】
かくして、クーポン管理装置６０やクーポンＩＤ管理装置１０では、データベースに管理されるデータによって、発行したクーポンが何時何処で取得され使用されたかを知ることができ、広告効果を見る広告測定情報として広告主に提供することができる。
【００７０】
以上のようなデータ処理システム１では、表示装置３０でクーポンＩＤデータがウォータマークで埋め込まれた広告映像データを再生することによってクーポンＩＤデータを配布することができることから、特に、表示装置３０には、従来と同じ装置を用いることができる。また、広告映像データにウォータマークで埋め込まれたクーポンＩＤデータを取得した携帯電話装置４０は、広告画像データに、クーポンＩＤデータに加え端末ＩＤデータをウォータマークで埋め込むので、不正なコピーを防止することができる。更に、このデータ処理システム１では、クーポンＩＤデータと端末ＩＤデータとを関連付けることで、広告映像データを視聴したユーザの携帯電話装置４０でしか利用できない電子クーポンの配布・償還を実現することができる。更に、クーポンＩＤ管理装置１０やクーポン管理装置６０では、クーポンＩＤデータに関連付けて償還ログを管理することから、広告視聴者の属性を特定し、信頼性の高い宣伝広告の効果測定方法を実現することができる。更に、ユーザがクーポンを使用しようとするときには、償還装置７０の検出部７１に、携帯電話装置４０の表示部４５に表示されたクーポンＩＤデータと端末ＩＤデータとがウォータマークで埋め込まれた広告画像データをかざすだけで良いことから、ユーザに対してキャリア通信費を負担させることを防止することができる。
【００７１】
なお、以上説明した端末ＩＤデータは、携帯電話装置４０に固有に割り振られたＩＤデータでも良いが、ＩＣカードシステムで用いられているＩＣカードのＩＤデータであっても良い。
【００７２】
また、以上の例では、圧縮、非圧縮画像に対するウォータマークの技術例を説明したが、他のウォータマーク埋め込み処理方法・プロセス・技術を採用してもよい。
【００７３】
また、以上の例では、広告映像データを表示装置３０で再生する例を説明したが、ウォータマーク付の広告媒体としては、紙で形成されたポスターや電子ポスターであっても良い。
【図面の簡単な説明】
【００７４】
【図１】本発明を適用したデータ処理システムの構成を示す図である。
【図２】本発明が適用されたデータ処理システムに用いられるクーポンＩＤ管理装置のブロック図である。
【図３】本発明が適用されたデータ処理システムに用いられる広告映像データ生成装置のブロック図である。
【図４】本発明が適用されたデータ処理システムに用いられる携帯電話装置のブロック図である。
【図５】携帯電話装置で表示装置に表示された広告映像データを撮像してクーポンＩＤデータを取得するときの状態を示す図である。
【図６】本発明が適用されたデータ処理システムに用いられる償還装置のブロック図である。
【図７】本発明が適用されたデータ処理システムに用いられるクーポン管理装置のブロック図である。
【図８】本発明が適用されたデータ処理システムの処理手順を示すフローチャートである。
【符号の説明】
【００７５】
１ データ処理システム、１０ クーポンＩＤ管理装置、１１ 記憶部、１２ クーポンＩＤ発行部、１３ 配信情報入力部、１４ 償還ログ入力部、２０ 広告映像データ生成装置、２１ 広告映像データ入力装置、２２ クーポンＩＤ入力装置、２３ 画像処理装置、２４ 配信装置、３０ 表示装置、３６ 枠、４０ 携帯電話装置、４１ 撮像部、４２ 非セキュアメモリ、４３ セキュアメモリ、４４ 画像処理部、４５ 表示部、４６ 操作部、４７ 制御部、６０ クーポン管理装置、６１ 記憶部、６２ 管理側通信Ｉ／Ｆ、６３ 照合部、７０ 償還装置、７１ 検出部、７２ ウォータマーク抽出部、７３ 償還側通信Ｉ／Ｆ、７４ ＰＯＳ機能部、７５ 表示部、７６ 制御部
【図１】
2008225904.tif 000003
【図２】
2008225904.tif 000004
【図３】
2008225904.tif 000005
【図４】
2008225904.tif 000006
【図５】
2008225904.tif 000007
【図６】
2008225904.tif 000008
【図７】
2008225904.tif 000009
【図８】
2008225904.tif 000010